(57)【要約】再帰反射グラフィック物品を製造するために用いられるベース構造物を製造する静電記録工程が、提供される。
2004507787.tif 000002
【特許請求の範囲】
【請求項１】
ａ．画像転写シートに画像を静電記録印刷するステップと、
ｂ．圧力および昇温下で、前記画像転写シート上の前記画像をレセプタシートに接触させて、前記画像が前記レセプタシートの面に転写されるステップにおいて、前記レセプタシート面が、その中に含まれるガラスマイクロスフィアを有するポリビニルブチラールの結合剤層と、その下にあり、樹脂によって前記マイクロスフィアから離間される鏡面反射層とを備えるステップと、
を含む再帰反射物品用のベース構造物の製造方法。
【請求項２】
画像を走査してコンピュータに電子形態で前記画像を格納するステップを含み、前記格納画像が前記画像転写シート上に静電記録印刷される請求項１に記載の方法。
【請求項３】
前記転写画像を有する前記レセプタシートの前記面に透明フィルムを貼るステップをさらに含む請求項１に記載の方法。
【請求項４】
前記印刷ステップが、前記画像転写シート上に静電記録潜像を形成するステップと、前記画像を液体トナーによって現像して可視画像を形成するステップとを含む請求項１に記載の方法。
【請求項５】
前記可視画像が４色画像である請求項４に記載の方法。
【請求項６】
前記レセプタシートが感圧接着剤層によって除去可能なライナに固着され、前記印刷画像が前記除去可能ライナおよび接着剤層を有する側に対向する前記レセプタシートの側に適用される請求項１に記載の方法。
【請求項７】
前記透明フィルムが、感圧接着剤によって前記レセプタシートに接着される請求項３に記載の方法。
【請求項８】
前記ライナが感圧接着剤層から除去され、前記レセプタシートが基板に接着される請求項６に記載の方法。
【請求項９】
前記ベース構造物が、少なくとも１２５マイクロインチのマイクロラフネス読取値を有する請求項１に記載の方法。
【請求項１０】
請求項１に記載の方法によって製造されるグラフィック物品の構造。
【請求項１１】
請求項３に記載の方法によって製造されるグラフィック物品。
【請求項１２】
請求項８に記載の方法によって製造されるグラフィック物品。
【請求項１３】
ａ．画像転写シートに画像を静電記録印刷するステップと、
ｂ．圧力および昇温下で、前記画像転写シート上の前記画像をレセプタシートに接触させて、前記画像が前記レセプタシートの面に転写されるステップにおいて、前記レセプタシート面が、その中に含まれるガラスマイクロスフィアを有する脂肪族ポリウレタンおよびポリウレタンエキステンディドポリエチレンテレフタレートポリマーから選択される結合剤層と、その下にあり、樹脂によって前記マイクロスフィアから離間される鏡面反射層とを備えるステップと、その上に転写画像を有する前記レセプタシートの前記面に透明フィルムを貼って再帰反射グラフィック物品を形成するステップと、を含む再帰反射物品用の再帰反射ベース構造物の製造方法。
【請求項１４】
画像を走査してコンピュータに電子形態で前記画像を格納するステップを含み、前記格納画像が前記画像転写シート上に静電記録印刷される請求項１３に記載の方法。
【請求項１５】
前記印刷ステップが、前記画像転写シート上に静電記録潜像を形成するステップと、液体トナーによって前記画像を現像して可視画像を形成するステップとを含む請求項１３に記載の方法。
【請求項１６】
前記可視画像が４色画像である請求項１５に記載の方法。
【請求項１７】
前記レセプタシートが感圧接着剤層によって除去可能なライナに固着され、前記印刷画像が前記除去可能ライナおよび接着剤層を有する側に対向する前記レセプタシートの側に適用される請求項１３に記載の方法。
【請求項１８】
前記透明フィルムが、感圧接着剤によって前記レセプタシートに貼られる請求項１３に記載の方法。
【請求項１９】
前記ライナが感圧接着剤層から除去され、前記レセプタシートが基板に接着される請求項１７に記載の方法。
【請求項２０】
前記ベース構造物が、少なくとも１２５マイクロインチのマイクロラフネス読取値を有する請求項１２に記載の方法。
【請求項２１】
請求項１２に記載の物品によって製造されるグラフィック物品用の再帰反射ベース構造物。
【請求項２２】
請求項１９に記載の方法によって製造される再帰反射グラフィック物品。
【請求項２３】
ステップ（ａ）が静電印刷を用いる請求項１に記載の方法。
【請求項２４】
ステップ（ａ）が静電印刷を用いる請求項１２に記載の方法。
【発明の詳細な説明】
【０００１】
技術分野
本発明は、グラフィック物品に関し、特に、再帰反射グラフィック物品および静電記録印刷手段による物品の製造方法に関する。
【０００２】
背景技術
さまざまな印刷方法が、さまざまなシート材料に画像を描くために用いられてきている。一般に用いられる印刷方法としては、グラビア印刷、オフセット印刷、フレキソ印刷、平版印刷、静電記録印刷（静電印刷を含む）、電子写真印刷（レーザ印刷および静電写真法を含む）、イオン蒸着、電子線記録画像法［ＥＢＩ］とも呼ばれる）、磁気印刷、インクジェット印刷、スクリーン印刷、熱転写印刷が挙げられる。
【０００３】
静電印刷は、印刷される準備がなされた面の上への静電荷の直接付着を伴う画像形成ステップに続いて、液体トナーを用いる調色ステップからなる。この次に、熱および／または圧力を用いてトナーを溶融することを伴うステップが続く。この技術を用いるプリンタは、５２インチまでの広い幅を利用することができ、意匠図、広告看板などを印刷するために用いられる。熱転写印刷は、コンピュータ処理のディジタルテキストおよびグラフィックデータを用いて、トナーリボン上のインク滴を溶融し、受容側へ伝送する熱印字ヘッドを駆動する。用いられるシステムはコンピュータ内に組み込まれ、４色のラミネート状の回転式または平面式型抜きのいずれかで、２５％以上の可変情報を備えた完成品のラベルおよび他の印刷製品を製造する。
【０００４】
当業者は、これらのさまざまな印刷方法の違いを理解しており、印刷方法に関係なく高画質を実現するために、感光体シートが通常、交換可能ではないことを認識している。
【０００５】
発明の概要
本発明は、再帰反射グラフィック物品を製造するために用いられるベース構造物の製造方法を提供する。したがって、本発明は、第１の態様において、再帰反射物品の製造において用いるのに適したベース構造物の製造方法であり、画像転写シート上に画像を静電記録印刷するステップと、画像がベース材料の面に転写されるように、圧力および高温下で画像転写シート上の画像をベース材料に接触させるステップと、を含み、ベース材料の面が、その中に含まれるガラスマイクロスフィアを有するポリビニルブチラールの結合剤層と、下に置かれ、かつ樹脂によってマイクロスフィアから離間される鏡面反射層とを含む。
【０００６】
本発明の第２の態様は、電子形態で画像を格納するために、画像をコンピュータに走査させるステップをさらに含み、格納された画像が画像転写シートに静電記録印刷される。
【０００７】
本発明の第３の態様は、再帰反射グラフィック物品を形成するために、その上に転写された画像を有するベース材料の面に透明フィルムを貼るステップをさらに含む。
【０００８】
本発明の第４の態様において、再帰反射ベース材料は感圧接着剤層によって除去可能なライナに固着され、印刷画像は除去可能なライナおよび接着剤層を有する側に対向する再帰反射ベース材料の側に適用される。本発明のさらなる態様において、ライナは、再帰反射物品を形成した後、感圧接着剤層から除去され、物品は基盤に接着される。
【０００９】
別の実施形態において、本発明は、再帰反射ベース構造物の製造方法であり、画像転写シート上に画像を静電記録印刷するステップと、画像がベース材料の面に転写されるように、圧力および高温下で画像転写シート上の画像をベース材料に接触させるステップにおいて、ベース材料の面が、その中に含まれるガラスマイクロスフィアを有する脂肪族ポリウレタン、ポリウレタンエクステンディドポリエチレンテレフタレートポリマー（ｐｏｌｙｕｒｅｔｈａｎ　ｅｘｔｅｎｄｅｄ　ｐｏｌｙｅｔｈｙｌｅｎｅ　ｔｅｒｅｐｈｔｈａｌａｔｅ　ｐｏｌｙｍｅｒ）から選択される結合剤層と、下に置かれ、かつ樹脂によってマイクロスフィアから離間される鏡面反射層と、を含むステップと、転写画像を有するベース材料の面に透明フィルムを貼るステップとを含む。
【００１０】
さらなる態様において、本発明は、再帰反射ベース構造物と、上述の工程によって製造される再帰反射物品とを含む。
【００１１】
好適な実施態様の説明
図１は、本発明の手法で有用なタイプのプリンタ１００の線図である。プリンタ１００は、静電手段を用いて、単独シートまたは連続ウェブであってもよい画像転写シート７の上に静電潜像を形成し、現像する。画像転写シート７は、第一に導電層２を有し、次に絶縁層４を有する紙支持ベース３を含む。剥離コーティング６は、画像の転写を円滑に行うために、絶縁層４に塗布されてもよい。剥離コーティング６を有する画像転写シート７の面は、静電潜像を確定するために、さまざまな電荷密度を有する電荷１２を付着するスタイラス書込みヘッド１０を第一に通過する方向８に進む。書込みヘッド１０を通過した後、画像転写シート７は、コンテナ２０中の液体トナー槽１８と接触するトナーアプリケータ１６を含む調色ステーションを通過する。液体トナーは、絶縁液体に分散されるトナー粒子を含む。液体トナー２２は、アプリケータ１６によって画像転写シート７に運搬され、付着されて、静電潜像１２と一致する調色画像２４を形成する。次に、画像２４は真空スキージ２８を通過し、余分なトナーが除去される。カラー画像はたとえば、黄、マゼンタ、シアン、黒のトナーを含む４色画像を複製する場合には、各トナーが上述の工程による個別のステップで画像状に付着される。
【００１２】
図２は、レセプタシート１８の面３３に画像２４を転写する準備のために、ベース材料を含むレセプタシート１８に並置される調色静電画像２４を有する画像転写シート７の断面を示している。レセプタシート１８は、実質的にガラスマイクロスフィア３２の単層を含む結合剤層３０と、鏡面反射層３４と、任意の除去可能な剥離ライナ３７によって覆われる感圧接着剤層３６と、を有する。結合剤層３０は、ポリビニルブチラール、脂肪族ポリウレタン、ポリウレタン増量ポリエチレンテレフタレートポリマーなどであってもよい。
【００１３】
図３は画像転写ステーション３００の線図であり、連続ウェブ２８として表される画像転写シート上に形成される調色画像２４が、連続ウェブ３８として表されるレセプタシートの結合剤層３０の面３３と接触させられる。画像転写シートの連続ウェブ２８およびレセプタシートの連続ウェブ３８は、供給ロール２０，２２から供給される。画像転写シート供給ロール２０は、図１に示されるプリンタ１００の前または後に存在してもよい。画像転写シートウェブ２８およびレセプタシートウェブ３８はローラ４２，４４のニップ４０を通過し、熱および圧力が印加されて画像転写シートウェブ２８からレセプタシートウェブ３８の結合剤層３０の面３３に調色画像２４を転写する。連続ウェブ２８，３８は、巻上げロール３６，３４によって収集される。画像レセプタシートは、再帰反射物品を製造するために適したベース構造物を提供する。
【００１４】
図４は、レセプタシート１８の断面図を示しており、結合剤層３０の面３３の上に画像２４を有し、画像２４に塗布される透明カバーフィルム４６を有する。透明カバーフィルム４６は、透明フィルム５０および感圧接着剤層５２を含む。画像２４に接触するように接着剤層５２の面５４を配置し、カバーフィルム４６および画像レセプタシート１８を圧力ロール（図示せず）のニップを通過させることによって、透明カバーフィルム４６は通常、画像２４に塗布され、画像入り再帰反射物品を形成する。
【００１５】
公知の静電記録工程および具体的には静電工程は、画像転写シート上に画像を形成するために用いられることができる。これらの工程において、静電記録（たとえば、静電）潜像が、受容絶縁面上に形成される。次に、絶縁基板上の潜像が適切なトナーによって現像される。続いて、画像は、絶縁面に永久に接着または「固定」してもよく、画像入り再帰反射物品を製造するために有用なベース材料を含むレセプタシートのような別の基板に転写されてもよい。画像形成工程を実行するために適した静電プリンタとしては、たとえば、Ｍｉｎｎｅｓｏｔａ　Ｍｉｎｉｎｇ　ａｎｄ　Ｍａｎｕｆａｃｔｕｒｉｎｇ　Ｃｏｍｐａｎｙ（「３Ｍ」）から商品名「Ｓｃｏｔｃｈｐｒｉｎｔ　Ｐｒｉｎｔｅｒ　２０００」で市販されているプリンタが挙げられる。
【００１６】
画像転写シートは、一般に、絶縁層に接触し、絶縁層を支持する導電層を有するフレキシブル基板を含む。フレキシブル基板は、セルロース繊維を基にした紙またはポリエステルフィルムなどの材料であってもよい。導電層は、静電荷を受容するために絶縁層を必要とし、第四アンモニウム化合物または塩化物陰イオン塩を含むポリマーなどのさまざまな材料から選択されてもよい。静電工程におけるトナー転写ステップを円滑に行うために、絶縁層の画像面はまた、剥離層のコーティングを具備してもよい。代表的な画像転写シートは、米国特許第５，０４５，３９１号および同第５，２６２，２５９号に記載されている。適切な画像転写媒体は、３Ｍから商品名「Ｔｒｉｄｅｎｔ　Ｔｒａｎｓｆｅｒ　Ｐａｐｅｒ　ＥＳ」で市販されている。以前は商品名「Ｉｍａｇｅ　Ｔｒａｎｓｆｅｒ　Ｍｅｄｉａ　８６０１ｉ（ＥＳ）」（「８６０１ｉ」）で市販されていた。
【００１７】
本発明において用いるための液体トナーは、当業界では公知のタイプから選択されてもよい。これらのトナーは、絶縁キャリア液体にトナー粒子を安定に分散させることを含む。トナー粒子は、樹脂でコーティングされた顔料であり、電荷を搬送する。適切な液体トナーの要件は、米国特許第４，９４６，７５３号および同第５，２６２，２５９号に記載されている。適切なトナーは、３Ｍから商品名「Ｓｃｏｔｃｈｐｒｉｎｔ　Ｅｘｔｅｒｉｏｒ　Ｆｏｕｒ　Ｃｏｌｏｒ　Ｔｏｎｅｒ　Ｓｅｒｉｅｓ　８７００／８８００」で市販されている。
【００１８】
レセプタシートは、低レベルの再帰反射性を呈するガラスマイクロスフィアを含むベース材料である。ガラスマイクロスフィアは、結合剤層全体に分散され、透明バインダ材料によってマイクロスフィアから離間される下層の鏡面反射層によって結合剤層に分散される単層として実質的に存在する。適切な結合剤層材料としては、ポリビニルブチラール、脂肪族ポリウレタン、ポリウレタンエキステンディドポリエチレンテレフタレートポリマー（たとえば、米国特許第５，８８２，７７１号の第１５欄３０〜３５行に記載）が挙げられる。鏡面反射層は、蒸着アルミニウムフィルムであってもよい。
【００１９】
本発明の反射シートは、マイクロスフィアと鏡面反射層との間の間隙層に十分なカッピングを有することが好ましく、それによって、湾曲面においてより高い比率の鏡面反射層を配置し、個々のマイクロスフィアを通過する光線が集光される。十分なカッピングは、一般に、隣接するマイクロスフィア間の間隙層のより大きな突出と、適切な粘度または流量特性のポリマー材料または溶液の使用と、によって実現される。十分なカッピングは、間隙層の後方または間隙層をコーティングする鏡面反射層の後方のマイクロラフネスの測定値によって表される。一般に、本発明の好ましいシーティングにおいて、このカッピングは、相加平均１２５マイクロインチのマイクロラフネス読取値の場合には十分であり、または半径２．５マイクロメートルのダイヤモンドスタイラスを用いたＢｅｎｄｉｘ　ｐｏｒｔａｂｌｅ　Ｐｒｏｆｉｌｏｍｅｔｅｒで測定した場合には、それ以上（約３マイクロメートル以上）である。所望のマイクロラフネスは、マイクロスフィアのサイズで幾分変化し、ある種の反射シーティングで用いられるより大きなマイクロスフィアの場合には、５または１０％高い可能性がある。
【００２０】
画像は、マイクロスフィアに最も近く、反射層に対向するベース材料の側に転写される。画像を受容するレセプタシートの面は、十分な転写のために予備処理を行う必要はない。感圧接着剤層は、反射層に隣接する再帰反射ベース材料の側に塗布されてもよい。適切な感圧接着剤は、たとえば、米国特許第６，１９７，３９７号に記載されている。接着剤は、米国特許第５，８９７，９３０号に記載されているように、処理しやすいようにするために、除去可能な剥離ライナを含んでいてもよい。再帰反射ベース材料および具体的には封入レンズ型再帰反射シーティングは、米国特許第４，７６７，６５９号に記載されている。適切な再帰反射ベース材料は、３Ｍから商品名「Ｓｃｏｔｃｈｌｉｔｅ　Ｃｈａｎｇｅａｂｌｅ　Ｇｒａｐｈｉｃ　Ｆｉｌｍ　５１００（ＥＳ）（「Ｓｃｏｔｃｈｌｉｔｅ　５１００（ＥＳ）」）および「Ｓｃｏｔｃｈｌｉｔｅ　Ｒｅｆｌｅｃｔｉｖｅ　Ｌｉｃｅｎｓｅ　Ｐｌａｔｅ　Ｓｈｅｅｔｉｎｇ　Ｓｅｒｉｅｓ　３７５０／３７７０」で市販されている。
【００２１】
画像入りレセプタシートは、再帰反射物品を形成するのに適したベース構造物を提供する。ベース構造物のみは一般に低レベルの再帰反射率を呈するが、透明フィルムがない場合のベース材料と比較して、透明フィルムは、再帰反射率（すなわち、輝度、明るさを強化した画像に対するオーバーレイとして塗布されることが好ましい。
【００２２】
透明フィルムの塗布後、ＡＳＴＭ　Ｅ−８１０による発散角０．２°、入射角４°で測定した場合、画像入り再帰反射物品の明るさは、少なくとも約２０カンデラ／ルクス／平方メートルであれば一般的であり、少なくとも約４０カンデラ／ルクス／平方メートルであれば好ましい。強化した再帰反射率が望ましい最終用途の場合には、明るさは少なくとも約６０カンデラ／ルクス／平方メートルであればさらに好ましく、少なくとも約８０カンデラ／ルクス／平方メートルであれば最も好ましい。
【００２３】
透明フィルムは、ポリ塩化ビニルまたはポリオレフィンなどの熱可塑性材料から構成されることが一般的である。フィルムは、感圧接着剤またはラミネート（たとえば熱）によって、ベース構造物に固着されることができる。適切な透明フィルムオーバーレイ材料は、３Ｍから商品名「Ｓｃｏｔｃｈｃａｌ　Ｅｌｅｃｔｒｏｓｔａｔｉｃ　Ｐｒｏｔｅｃｔｉｖｅ　Ｃｌｅａｒ−Ｌｕｓｔｅｒ　８９１０（ＥＳ）」および「Ｓｃｏｔｃｈｃａｌ　Ｅｌｅｃｔｒｏｓｔａｔｉｃ　Ｐｒｏｔｅｃｔｉｖｅ　Ｏｖｅｒｌａｍｉｎａｔｅ　８９０８（ＥＳ）」で市販されている。透明フィルム層はまた、トップコートとして設けられてもよい。トップコートは、スクリーン印刷法、たとえば、３Ｍから商品名「Ｓｃｒｅｅｎ　Ｐｒｉｎｔｉｎｇ　１９２０　Ｃｌｅａｒ　Ｃｏａｔ」として市販されている製品を用いて、液体として塗布されてもよい。透明フィルムおよび液体トップコートは、紫外光吸収剤を任意に含んでもよい。トップコートとして用いるための適切な紫外光硬化可能液体は、たとえば、ＷＯ　００／５８９３０に記載されている。別の適切なトップコートは、３Ｍから商品名「Ｓｃｒｅｅｎ　Ｐｒｉｎｔｉｎｇ　Ｏｖｅｒｐｒｉｎｔ　Ｃｌｅａｒ　９７２０ＵＶ」で市販されている。
【００２４】
ガラスマイクロスフィアを含み、感圧接着剤層を有するベース構造物から製造される再帰反射物品は、基板に接着されてもよい。基板は、アルミニウム、鋼、木材（塗装木材）、厚紙などの看板またはグラフィック広告に適した任意の材料であってもよい。
【００２５】
この物品は、交通標識、携帯型標識、旗、垂れ幕、ロールアップシーティング、コーン用ラップシーティング、ポスト用ラップシーティング、樽状ラップシーティング、ナンバープレート用シーティング、バリケード用シーティング、標識用シーティング、車両マーキング、部分車両マーキング、歩道マーキングテープおよびシーティングなどの他の交通警告品目をはじめとする他の物品のほか、再帰反射テープとして用いるのに適している。物品はまた、衣料品、建築工事現場用ベスト、救命胴衣、雨具、ロゴ、補修材、特定品目、手荷物、ブリーフケース、ブックバッグ、バックパック、ゴムボート、ステッキ、傘、動物用カラー、トラックのマーキング、トレーラのカバーおよびカーテンなどの物品をはじめとする多種多様な再帰反射安全装置にも有用である。
【００２６】
市販のグラフィックフィルムは、さまざまな広告用、促進用、企業識別用画像付きフィルムを含む。フィルムは一般に、非表示面上に感圧接着剤を含み、フィルムが自動車、トラック、航空機、広告看板、建物、天幕、窓、床などの対象面に接着されることができるようになっている。あるいは、接着剤を含まない画像付きフィルムは、たとえば、ディスプレイのために建物に機械的に取付けられることができる垂れ幕などの用途に適している。任意の関連接着剤および／またはラインと併用するフィルムは、厚さ約５ミル（０．１２７ｍｍ）からプリンタ（たとえばインクジェットプリンタ）に対応することができる程度の厚さまでの範囲である。
【００２７】
実施例
本発明の目的および利点は、以下の実施例によってさらに示されるが、実施例に記載した特定の材料およびその量のほか、他の状態および詳細も本発明を過度に制限するものと考えるべきではない。
【００２８】
実施例に用いられる試験材料
画像転写の品質（「ＱＩＴ」）
再帰反射ベース構造物上の転写画像（オーバラミネートがある場合またはオーバラミネートがない場合）と転写媒体は、転写媒体からＳｃｏｔｃｈｌｉｔｅ　５１００　ＥＳフィルムベース構造物への画像転写の品質に関して視覚的に評価された。暗色が用いられた場合には、ある程度影が残っている恐れはあるが、転写媒体上に残っている画像がなく画像転写媒体がきれいであった場合、ＱＩＴは「許容可能（「Ａ」）」と評価された。画像の任意の部分（一部の影を除く）画像転写媒体上に残った場合には、ＱＩＴは、「許容不可（「Ｕ」）」と評価された。
【００２９】
オーバラミネートの接着（「ＡＯ」）
オーバラミネートの接着は、幅約２．５ｃｍ×長さ約１５ｃｍの画像付きＳｃｏｔｃｈｌｉｔｅ　５１００　ＥＳフィルムベース構造物のサンプルで行われた剥離力によって決定された。各フィルムベース構造物は、両面接着テープを用いて、幅７ｃｍ×長さ２８ｃｍのアルミニウムパネル（Ｑ　Ｐａｎｅｌ　Ｃｏｍｐａｎｙ，Ｃｌｅｖｅｌａｎｄ，ＯＨから入手可能なエッチングおよびスマット除去面用の６０６１Ｔ６合金）に接着された。両面テープの露出接着剤は、アルミニウムパネル上に配置され、手の圧力を用いて接着ストリップの長さに沿って、ゴムを塗布した幅５ｃｍのローラで２回往復することによって、パネルに貼り合わせられた。剥離ライナは、両面テープおよび画像付きＳｃｏｔｃｈｌｉｔｅ　５１００　ＥＳフィルムベース構造物から除去された。画像付きＳｃｏｔｃｈｌｉｔｅ　５１００　ＥＳフィルムベース構造物の接着剤側は、上記で説明したようにゴムローラを用いて、試験パネル上の両面テープに貼り合わせられた。３Ｍから商品名「Ｓｃｏｔｃｈ　Ｓｕｐｅｒｉｏｒ　Ｐｅｒｆｏｒｍａｎｃｅ　Ｆｉｌａｍｅｎｔ　Ｔａｐｅ」で市販されている強化テープの幅約２．５ｃｍ×長さ約４０ｃｍのストリップが、画像付きＳｃｏｔｃｈｌｉｔｅ　５１００　ＥＳフィルムベース構造物の一面に整列され、上記で説明したようにゴムローラを用いて試験パネル上にベース構造物のフィルム側（すなわちオーバラミネート）に貼り合わせられた。ベース構造物を越えて延在する強化テープは、オーバラミネートを強化し、画像付きフィルムベース構造物からオーバラミネートを剥離するためのタブを設けるために、接着剤に接着されるようにそれ自体の上に折畳まれた。Ｓｃｏｔｃｈｌｉｔｅ　５１００　ＥＳフィルムベース構造物から注意深くオーバラミネートを剥離開始するために、鋭い剃刀の刃が用いられた。
【００３０】
アルミニウムパネルは、ＭＴＳ，Ｅｄｅｎ　Ｐｒａｉｒｉｅ，ＭＮから商品名「Ｓｉｎｔｅｃｈ　１」で市販されている引張試験装置の下顎に挟み込まれた。フィラメントテープタブが、引張試験装置の上顎に挟み込まれた。オーバラミネートは、周囲温度で、３０ｃｍ／分のクロスヘッド速度を用いて角度１８０°でＳｃｏｔｃｈｌｉｔｅ　５１００　ＥＳフィルムベース構造物から分離された。剥離力は、長さ少なくとも１０ｃｍにわたってｇ／ｃｍで記録され、３回折畳みの場合に平均剥離力が得られた。
【００３１】
明るさ
画像入り再帰反射物品の明るさは、ＡＳＴＭ　Ｅ−８１０による発散角０．２°および入射角４°で測定された。３回の測定が行われ、平均がカンデラ／ルクス／平方メートルで記録された。
【００３２】
引張および伸張
引張強さおよび総伸張が、ＡＳＴＭ試験方法Ｄ８８２−８０ａによって測定された。
【００３３】
実施例１〜４
実施例１は、Ｓｃｏｔｃｈｐｒｉｎｔ　Ｐｒｉｎｔｅｒ　２０００を用いて、幅１３７ｃｍ（５４インチ）の画像転写媒体８６０１ｉ上に幅１２２ｃｍ、長さ約４．５ｍの４色グラフィック試験画像を印刷することによって作成された。次に、画像転写媒体上の試験画像が、３Ｍから商品名「ＧＢＣ　Ｐｒｏ−Ｔｅｃｈ　Ｏｒｃａ　ＩＩＩ（Ｍ９５４２）」で市販されているホットロールラミネータを用いてＳｃｏｔｃｈｌｉｔｅ　５１００　ＥＳフィルムベース構造物に転写された。上ロール温度は１４３℃（２９０°Ｆ）、下ロール温度は２７℃（８０°Ｆ）、ロール圧力は６．３ｋｇ／ｃｍ２（９０ｐｓｉ）、転写速度は１．２ｍ／秒（４フィート／分）に設定された。
【００３４】
オーバラミネートは、画像の転写用に上述の状態を用いて画像付きＳｃｏｔｃｈｌｉｔｅ　５１００　ＥＳフィルムベース構造物に線状に直接塗布された。用いられた幅１２４ｃｍ（４９インチ）のオーバラミネートは、Ｓｃｏｔｃｈｃａｌ　Ｅｌｅｃｔｒｏｓｔａｔｉｃ　Ｐｒｏｔｅｃｔｉｖｅ　Ｏｖｅｒｌａｍｉｎａｔｅ　８９０８（ＥＳ）であった。
【００３５】
実施例２は、用いられたオーバラミネートが、Ｓｃｏｔｃｈｃａｌ　Ｅｌｅｃｔｒｏｓｔａｔｉｃ　Ｐｒｏｔｅｃｔｉｖｅ　Ｃｌｅａｒ−Ｌｕｓｔｅｒ　８９１０（ＥＳ）である点を除き、実施例１に関して説明したように形成された。
【００３６】
実施例３は、Ｓｃｏｔｃｈｐｒｉｎｔ　Ｐｒｉｎｔｅｒ　２０００を用いて、幅１３７ｃｍ（５４ｉｎｃｈ）の画像転写媒体８６０１ｉ上に幅１２２ｃｍ、長さ約４．５ｍの４色グラフィック試験画像を印刷することによって作成された。次に、画像転写媒体上の試験画像が、転写速度０．６ｍ／分である点を除き、実施例１に記載したホットロールラミネータおよび条件を用いて、米国特許第４，９５０，５２５号の実施例１（第３欄４９行〜第５欄２１行）に記載された２０．３ｃｍ（８インチ）×２７．９ｃｍ（１１インチ）のベース構造物に転写された。
【００３７】
実施例４は、Ｓｃｏｔｃｈｐｒｉｎｔ　Ｐｒｉｎｔｅｒ　２０００を用いて、幅１３７ｃｍ（５４ｉｎｃｈ）の画像転写媒体８６０１ｉ上に幅１２２ｃｍ、長さ約４．５ｍの４色グラフィック試験画像を印刷することによって作成された。次に、画像転写媒体上の試験画像が、再帰反射ベース構造物に転写された。再帰反射ベース構造物は、以下の例外を除き、米国特許第４，６６３，２１３号の実施例に示された構造からなる。例外は、透明カバーフィルムＡは使用されなかったこと、（１）では、米国特許第５，８８２，７７１号の第１５欄３０〜３５行に記載されたようなウレタンエキステンディドＰＥＴが、熱硬化性ポリビニルブチラールおよび可塑剤の代わりに用いられたこと、（２）米国特許第５，００８，１４２号のサンプル１１の表５に記載されたようなポリエステル飽和ライナが間隙層として用いられたこと、（３）（４）（５）が用いられたなかったことである。画像転写媒体上の試験画像は、転写速度０．３ｍ／分である点を除き、実施例３に示されたホットロールラミネータおよび状態を用いて、再帰反射ベース構造物を含む調合ＰＥＴに転写された。
【００３８】
以下の表には、実施例１〜４に関する物品の引張、伸張、オーバラミネートの接着、明るさ、画像転写の品質が記載されている。
【００３９】
表のデータは、すべての実施例に関して画像転写の品質は許容可能であったことを示している。実施例１および２に関して、測定された別の特性は、優れたグラフィックベース構造物が形成されたことを示している。
【００４０】
【表１】
2004507787.tif 000003
【００４１】
上記の仕様は、本発明の再帰反射ベース構造物および再帰反射物品の製造および用途に関する完全な説明を提供する。本発明の精神および範囲を逸脱することなく、本発明のさまざまな実施形態を形成することができるため、本発明は以下の添付の特許請求の範囲に属している。
【図面の簡単な説明】
【図１】
本発明の手法によって転写される画像を形成する際に用いる印刷ステーションの１タイプの線図である。
【図２】
ガラスマイクロスフィアを含むベース材料に画像を転写するために配置されるグラフィック画像を有する転写シート素子の断面図である。
【図３】
転写シート素子からベース材料に画像を転写するための転写ステーションの線図である。
【図４】
ガラスマイクロスフィアを含むベース材料の面を含む画像にオーバレイ素子を適用する断面図である。
【国際公開パンフレット】
2004507787.tif 000004
2004507787.tif 000005
2004507787.tif 000006
2004507787.tif 000007
2004507787.tif 000008
2004507787.tif 000009
2004507787.tif 000010
2004507787.tif 000011
2004507787.tif 000012
2004507787.tif 000013
2004507787.tif 000014
2004507787.tif 000015
2004507787.tif 000016
2004507787.tif 000017
2004507787.tif 000018
2004507787.tif 000019
2004507787.tif 000020
【国際公開パンフレット（コレクトバージョン）】
2004507787.tif 000021
【国際調査報告】
2004507787.tif 000022
2004507787.tif 000023
2004507787.tif 000024